(57)【要約】【課題】部品点数の増大や、表示境界があいまいになることなく、全画面／部分画面表示の切り替えを行うことができ、かつ、バックライト消費電力を低減できる液晶表示装置を提供する。【解決手段】本発明の液晶表示装置では、導光板１０２は部分的に２層構造を持ち、２層が反射板１０５で分離され、表示モード切替手段１０９の制御に従って、全画面表示の場合は、バックライト光源１０３は、スライド機構１０４により、導光板１０２から遠ざかる方向に移動、配置して、導光板１０２の２層に光を照射し、部分表示の場合は、バックライト光源１０３は、導光板１０２に近づく方向に移動、配置して、表示面に近い１層にのみ照射する。部分表示の場合、バックライト光源１０３の照射量を調光手段１０８により低減させることにより、部分表示の際のバックライト消費電力を低減することが可能となる。【選択図】図１
2005241679.tif 000002
【特許請求の範囲】
【請求項１】
部分的に２層構造を持ち、２層が反射板で分離された導光板と、前記導光板の横に配置されスライドする機構を持つバックライト光源とから構成される液晶表示装置。
【請求項２】
前記バックライト光源が前記導光板に一番近い位置に配置された際に、前記バックライト光源の照射量を低減させる調光制御手段を付加したことを特徴とする請求項１記載の液晶表示装置。
【請求項３】
前記バックライト光源が、前記導光板に一番近い位置に配置された際に、２層部分以外に対応する領域の画素への電圧の印加を抑制する液晶画素駆動手段を付加したことを特徴とする請求項１および請求項２記載の液晶表示装置。
【請求項４】
部分的に２層構造を持ち、２層が反射板で分離された導光板と、前記導光板の横に配置されスライドする機構を持つバックライト光源と、前記バックライト光源が前記導光板から離れた位置に配置された際に、前記導光板と前記バックライト光源との間に跳ね上がる構造を持つ反射板とから構成される液晶表示装置。
【請求項５】
前記バックライト光源が前記導光板から離れた位置に配置された際に、前記バックライト光源の照射量を低減させる調光制御手段を付加したことを特徴とする請求項４記載の液晶表示装置。
【請求項６】
前記バックライト光源が、前記導光板から離れた位置に配置された際に、２層部分に対応する領域の画素への電圧の印加を抑制する液晶画素駆動手段を付加したことを特徴とする請求項４および請求項５記載の液晶表示装置。
【請求項７】
前記跳ね上がる構造を持つ反射板の跳ね上げを電子的に制御する反射板跳ね上げ制御手段を付加したことを特徴とする請求項４、請求項５、請求項６記載の液晶表示装置。
【発明の詳細な説明】
【技術分野】
【０００１】
本発明は、使用状況に応じて、画面表示面積を切り替え可能な液晶表示装置に関するものである。
【背景技術】
【０００２】
使用状況に応じて、画面表示面積を切り替えたい場合、通常の液晶表示装置では、非表示部分を黒表示にして、残りの部分に画像データを表示することにより実現可能である。しかし、この場合は、表示データのパターンが部分的に表示されているだけで、通常の液晶パネルの表示と変わらないため、バックライトは、全画面表示している場合と同じ電力を消費する。
【０００３】
上記の課題を解決する手段として、例えば、特許文献１には、全画面照射用と部分画面照射用と２種類のバックライトを具備する装置が提案されている。また、特許文献２には、液晶駆動部を制御することにより、非表示部を駆動しないことにより消費電力を低減する方法が提案されている。
【特許文献１】特許第２９６３５９２号公報
【特許文献２】特開平６−９５６２１号公報
【発明の開示】
【発明が解決しようとする課題】
【０００４】
しかしながら、従来の液晶表示装置では、特許文献１の場合は、バックライトを２つ用意する必要があり、周辺部品も含めて部品点数が増えるという課題があった。また、特許文献２では、駆動回路の消費電力は低減できるが、駆動回路を停止した部分すなわち電圧印加をしない部分は、通常の液晶表示装置では、白表示（ノーマリーホワイトと呼ばれる）になるため、部分表示部に照射した光が非表示部に漏れ出し、表示部分の境界があいまいになってしまう課題があった。
【課題を解決するための手段】
【０００５】
上記課題を解決するために、本発明の液晶表示装置では、部分的に２層構造を持ち、２層が反射板で分離された導光板と、導光板の横に配置されスライドする機構を持つバックライト光源と、バックライト光源が導光板に一番近い位置に配置された際に、バックライト光源の照射量を低減させる調光手段と、前記バックライト光源が、前記導光板に一番近い位置に配置された際に、２層部分以外に対応する領域の画素への電圧の印加を抑制する液晶画素駆動手段とから構成する。
【０００６】
さらに、本発明の液晶表示装置では、部分的に２層構造を持ち、２層が反射板で分離された導光板と、前記導光板の横に配置されスライドする機構を持つバックライト光源と、前記バックライト光源が前記導光板から離れた位置に配置された際に、前記導光板と前記バックライト光源との間に跳ね上がる構造を持つ反射板と、前記バックライト光源が前記導光板から離れた位置に配置された際に、前記バックライト光源の照射量を低減させる調光制御手段と、前記バックライト光源が、前記導光板から離れた位置に配置された際に、２層部分に対応する領域の画素への電圧の印加を抑制する液晶画素駆動手段とから構成する。
【発明の効果】
【０００７】
本発明の液晶表示装置は、バックライト光源がスライドし、全画面表示の場合は、導光板から遠ざかる方向に移動、配置して２層に光を照射し、部分表示の場合は、導光板に近づく方向に移動、配置して、表示面に近い１層にのみ照射することにより、非表示領域にバックライト光源の光が漏れることなく、境界のはっきりした部分表示を実現することが可能となる。さらに、部分表示の場合は、バックライト光源の照射量を低減させることにより、部分表示の際のバックライト消費電力を低減することが可能となる。また、部分表示の場合に、非表示部に対応する画素への電圧印加を抑制することにより、液晶駆動回路の消費電力を低減することが可能となる。
【０００８】
さらに本発明の液晶表示装置は、バックライト光源がスライドし、全画面表示の場合は、導光板からやや離れた位置でかつ反射板が跳ね上がらない位置にバックライト光源を配置し、２層に光を照射し、部分表示の場合は、バックライト光源を導光板から離れた位置に配置し、導光板とバックライト光源の間の反射板を跳ね上げて、反射板により、バックライト光源の光を表示面に近い層には入射せず、表地面から遠い層に入射し、導光板が１層の部分の表示面のみを光らせることにより、部分表示を実現することが可能となる。さらに、部分表示の場合は、バックライト光源の照射量を低減させることにより、部分表示の際のバックライト消費電力を低減することが可能となる。また、部分表示の場合に、非表示部に対応する画素への電圧印加を抑制することにより、液晶駆動回路の消費電力を低減することが可能となる。
【発明を実施するための最良の形態】
【０００９】
以下、本発明の実施の形態を、図面を参照しながら説明する。
【００１０】
（実施の形態１）
図１に本発明の実施の形態１における液晶表示装置の構成を示すブロック図を示す。図１において、液晶部１０１はデータを表示し、導光板１０２は部分的に２層で構成され、２層は反射板１０５により分離されている。バックライト光源１０３は、スライド機構１０４により導光板１０２に対する距離を変更することができる。反射板１０５は導光板１０２を２つに分離させ、画素駆動制御手段１０６は画素の駆動を制御し、移動制御手段１０７はスライド機構１０４を制御し、調光手段１０８はバックライト光源１０３の光量を調節し、表示モード切替手段１０９は全画面表示と部分画面表示の切り替えを制御する。
【００１１】
図２に実施の形態１における表示モード切替に関する説明図を示す。図２（ａ）は通常の液晶表示装置の説明図で、図２（ｂ）は本発明の２つの表示モードに関する説明図である。表示モードは全画面表示（１）と部分表示（２）で構成される。全画面表示（１）の場合は、バックライト光源１０３が導光板１０２から離れた位置に配置される。この場合、バックライト光源１０３から発せられた光は、２層ともに入射されるため、全画面に光が照射される。
【００１２】
次に、全画面表示から部分表示に表示が切り替わる場合について説明する。
【００１３】
ユーザーの指示や液晶表示装置が組み込まれた機器の機構と連動して、表示モード切替手段１０９により、全画面表示（１）から部分表示（２）への切替制御信号が、画素駆動制御手段１０６、移動制御手段１０７、調光手段１０８に出力される。移動制御手段１０７は、切替制御信号に基づき、バックライト光源１０３の位置を移動させて、導光板１０２に近接する位置に配置する。この場合、バックライト光源１０３からの光は、導光板１０２の２層部分の表示面に近い層にのみ入射されるため、表示面の一部のみに光が照射されることになる。また、導光板１０２は反射板１０５により分離されているため、上記の層以外の部分へ光が漏れ出すことがない。このしくみにより、表示境界がはっきり分離された部分表示を実現することが可能となる。
【００１４】
また、調光手段１０８は、切替制御信号に基づき、部分表示に切り替わると同時に、バックライト光源の光量を低減させる。これにより、部分表示の際には、バックライト光源の消費電力を低減することが可能となる。さらに、画素駆動制御手段１０６は、切替制御信号に基づき、部分表示に切り替わると同時に、部分表示領域外に対応する画素の駆動を抑制する。これにより、部分表示の際には、画素駆動の消費電力を低減することが可能となる。
【００１５】
（実施の形態２）
図３に本発明の実施の形態２における液晶表示装置の構成を示すブロック図を示す。本実施の形態２は、実施の形態１に跳ね上げ機構付き反射板１１０を、バックライト光源１０３と導光板１０２との間に追加した構成となっており、以下は、追加部分について説明する。
【００１６】
図４に実施の形態２の表示モード切替に関する説明図を示す。（１）が全画面表示で（２）が部分表示である。全画面表示（１）の場合は、バックライト光源１０３が導光板１０２よりやや離れた位置に配置され、跳ね上げ機構付き反射板１１０は、跳ね上がらない状態である。この場合、バックライト光源１０３から発せられた光は、２層ともに入射されるため、全画面に光が照射される。
【００１７】
部分表示（２）に切り替わる際には、バックライト光源１０３が導光板１０２から離れる方向に移動すると同時に、跳ね上げ機構付き反射板１１０が跳ね上がる。この場合、バックライト光源１０３からの光は、導光板１０２の２層部分の外側、すなわち表示面から離れた側の層にのみ入射され、導光板１０２の１層部分のみを照射する。このしくみにより、表示境界がはっきり分離された部分表示を実現することが可能となる。また、実施の形態１とは、反対側の表示領域を部分表示することが可能となる。
【００１８】
また、実施の形態１と同様、調光手段１０８は、切替制御信号に基づき、部分表示に切り替わると同時に、バックライト光源の光量を低減させる。これにより、部分表示の際には、バックライト光源の消費電力を低減することが可能となる。
【００１９】
さらに、実施の形態１と同様、画素駆動制御手段１０６は、切替制御信号に基づき、部分表示に切り替わると同時に、部分表示領域外に対応する画素の駆動を抑制する。これにより、部分表示の際には、画素駆動の消費電力を低減することが可能となる。
【００２０】
なお、跳ね上げ機構付き反射板１１０は、電子的に跳ね上げを制御しても構わない。
【００２１】
また、本実施の形態１と実施の形態２を組み合わせることにより、部分領域を切り替えることも可能となる。
【産業上の利用可能性】
【００２２】
本発明の液晶表示装置は、消費電力を抑制しつつ、使用状況に応じて、画面表示面積を切り替える用途として有用である。
【図面の簡単な説明】
【００２３】
【図１】本発明の実施の形態１における液晶表示装置の構成を示すブロック図
【図２】本発明の実施の形態１における表示モード切替に関する説明図
【図３】本発明の実施の形態２における液晶表示装置の構成を示すブロック図
【図４】本発明の実施の形態２における表示モード切替に関する説明図
【符号の説明】
【００２４】
１０１  液晶部
１０２  導光板
１０３  バックライト光源
１０４  スライド機構
１０５  反射板
１０６  画素駆動制御手段
１０７  移動制御手段
１０８  調光手段
１０９  表示モード切替手段
１１０  跳ね上げ機構付き反射板
【図１】
2005241679.tif 000003
【図２】
2005241679.tif 000004
【図３】
2005241679.tif 000005
【図４】
2005241679.tif 000006